【事件の表示】
　特許第３２９９３７７号「スイッチ」の請求項３ないし７に係る特許に対する特許異議の申立てについて、次のとおり決定する。
【結　論】
　訂正を認める。
　特許第３２９９３７７号の請求項３ないし７に係る特許を維持する。
【理　由】
（１）手続の経緯
　特許第３２９９３７７号に係る発明についての出願は、平成６年３月１５日に出願され、平成１４年４月１９日にその発明について特許の設定登録がなされ、その後、請求項３〜７に係る特許について、中嶋　進により特許異議の申立てがなされ、取消理由通知が二度なされ、それぞれの通知の指定期間内である平成１６年４月６日及び平成１６年８月１０日に訂正請求がなされた（平成１６年４月６日付けの訂正請求は後に取り下げられた。）ものである。
（２）訂正の適否についての判断
ア．訂正の内容
　特許権者が求めている訂正の内容は、以下のとおりである。
（ａ）特許請求の範囲の請求項３の
「端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の端子板における接点部との接触離反を行う可動接点板とを備え、上記解除釦は、端子板を共有する一対の鎖錠ばねの解除駆動部を備えるとともに両鎖錠ばねの間に位置する立ち上がり片を備えていることを特徴とするスイッチ。」を
「端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の端子板における接点部との接触離反を行う可動接点板とを備え、上記解除釦は、端子板を共有する一対の鎖錠ばねの解除駆動部を備えるとともに
、両鎖錠ばねの間に配置された上記解除釦は、両鎖錠ばねの間で電線挿入方向に延長されて上記両鎖錠ばねの間に位置し且つ側面に上記端子板が接する立ち上がり片を有して、両鎖錠ばねと端子板との間の電線が夫々挿入配置される部分の間に上記立ち上がり片を含む上記解除釦が電線挿入方向のほぼ全長にわたって位置している
（ｂ）特許請求の範囲の請求項４の
「端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の２つの端子板における各接点部に交互に接触する可動接点板とを備え、上記解除釦は、夫々接点部を有している一対の端子板間に配されて両端子板に対応する一対の鎖錠ばねの解除駆動部を備えるとともに、両鎖錠ばねの間及び両端子板の間に位置する立ち上がり片を備えていることを特徴とするスイッチ。」を
「端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の２つの端子板における各接点部に交互に接触する可動接点板とを備え、上記解除釦は、夫々接点部を有している一対の端子板間に配されて両端子板に対応する一対の鎖錠ばねの解除駆動部を備えるとともに、両鎖錠ばねの間及び両端子板の間に
配置された上記解除釦は、両鎖錠ばね及び一対の端子板の間で電線挿入方向に延長されて上記両鎖錠ばね及び上記一対の端子板の間に位置する立ち上がり片を有して、両鎖錠ばねと端子板との間の電線が夫々挿入配置される部分の間に上記立ち上がり片を含む上記解除釦が電線挿入方向のほぼ全長にわたって位置している
（ｃ）明細書段落【０００５】の
「上記解除釦が、端子板を共有する一対の鎖錠ばねの解除駆動部を備えるとともに両鎖錠ばねの間に位置する立ち上がり片、もしくは夫々接点部を有している一対の端子板間に配されて両端子板に対応する一対の鎖錠ばねの解除駆動部を備えるとともに両鎖錠ばねの間及び両端子板の間に位置する立ち上がり片を備えている」を
「上記解除釦は、端子板を共有する一対の鎖錠ばねの解除駆動部を備えるとともに、
両鎖錠ばねの間に配置された上記解除釦は、両鎖錠ばねの間で電線挿入方向に延長されて上記両鎖錠ばねの間に位置し且つ側面に上記端子板が接する立ち上がり片を有して、両鎖錠ばねと端子板との間の電線が夫々挿入配置される部分の間に上記立ち上がり片を含む上記解除釦が電線挿入方向のほぼ全長にわたって位置していること、もしくは上記解除釦は、夫々接点部を有している一対の端子板間に配されて両端子板に対応する一対の鎖錠ばねの解除駆動部を備えるとともに、両鎖錠ばねの間及び両端子板の間に配置された上記解除釦は、両鎖錠ばね及び一対の端子板の間で電線挿入方向に延長されて上記両鎖錠ばね及び上記一対の端子板の間に位置する立ち上がり片を有して、両鎖錠ばねと端子板との間の電線が夫々挿入配置される部分の間に上記立ち上がり片を含む上記解除釦が電線挿入方向のほぼ全長にわたって位置している
（ｄ）明細書段落【００１６】の
「図１１及び図１２に示すように、一対の鎖錠ばね４，４の両端部の間に位置することになる立ち上がり片５０を有している。」を
「図１１及び図１２に示すように、一対の鎖錠ばね４，４の両端部の間に位置
して側面が端子板３に接する
（ｅ）明細書段落【００２０】の
「また速結端子の接続解除用の解除釦に、端子板を共有する一対の鎖錠ばねの解除駆動部を備えるとともに両鎖錠ばねの間に位置する立ち上がり片、もしくは夫々接点部を有している一対の端子板間に配されて両端子板に対応する一対の鎖錠ばねの解除駆動部を備えるとともに両鎖錠ばねの間及び両端子板の間に位置する立ち上がり片を設けている」を
「また解除釦が
端子板を共有する一対の鎖錠ばねの解除駆動部を備え、両鎖錠ばねの間に配置された上記解除釦は、両鎖錠ばねの間で電線挿入方向に延長されて上記両鎖錠ばねの間に位置し且つ側面に上記端子板が接する立ち上がり片を有して、両鎖錠ばねと端子板との間の電線が夫々挿入配置される部分の間に上記立ち上がり片を含む上記解除釦が電線挿入方向のほぼ全長にわたって位置していること、もしくは上記解除釦は、夫々接点部を有している一対の端子板間に配されて両端子板に対応する一対の鎖錠ばねの解除駆動部を備えるとともに、両鎖錠ばねの間及び両端子板の間に配置された上記解除釦は、両鎖錠ばね及び一対の端子板の間で電線挿入方向に延長されて上記両鎖錠ばね及び上記一対の端子板の間に位置する立ち上がり片を有して、両鎖錠ばねと端子板との間の電線が夫々挿入配置される部分の間に上記立ち上がり片を含む上記解除釦が電線挿入方向のほぼ全長にわたって位置している
　
イ．訂正の目的の適否、新規事項の有無、及び拡張・変更の存否
　上記訂正事項（ａ）は、請求項３の「両鎖錠ばねの間に位置する立ち上がり片」に対し、「両鎖錠ばねの間で電線挿入方向に延長」され、「且つ側面に上記端子板が接する」との条件を付したものであり、更に、「解除釦」に対し、「両鎖錠ばねと端子板との間の電線が夫々挿入配置される部分の間に上記立ち上がり片を含む上記解除釦が電線挿入方向のほぼ全長にわたって位置していること」との条件を付すものであるから、特許請求の範囲の減縮を目的とするものである。
　上記訂正事項（ｂ）は、請求項４の「両鎖錠ばねの間及び両端子板の間に位置する立ち上がり片」に対し、「両鎖錠ばね及び一対の端子板の間で電線挿入方向に延長されて上記両鎖錠ばね及び上記一対の端子板の間に位置する」との条件を付したものであり、更に、「解除釦」に対し、「両鎖錠ばねと端子板との間の電線が夫々挿入配置される部分の間に上記立ち上がり片を含む上記解除釦が電線挿入方向のほぼ全長にわたって位置していること」との条件を付すものであるから、特許請求の範囲の減縮を目的とするものである。
　上記訂正事項（ｃ）〜（ｅ）は、上記特許請求の範囲の減縮に伴い、これと整合性を図るものであるから、明りょうでない記載の釈明を目的とするものである。
　そして、上記訂正は願書に添付した明細書または図面に記載された事項の範囲内で訂正するものと認められるから、新規事項の追加に該当せず、また特許請求の範囲を実質的に拡張または変更するものではない。
　
ウ．むすび
　以上のとおりであるから、上記訂正は、特許法第１２０条の４第３項で準用する平成６年法律第１１６号による改正前の第１２６条第１項ただし書及び第２項の規定に適合するので、当該訂正を認める。
　
（３）特許異議の申立てについて
ア．本件発明
　上記のとおり訂正が認められるから、本件請求項３ないし７に係る発明（以下、順に「本件発明３」〜「本件発明７」という。）は、平成１６年８月１０日付けで提出された訂正請求書に添付された明細書の特許請求の範囲の請求項３ないし７に記載された事項により特定されるとおりのものである。
　
　請求項３及び４は、（２）のアの（ａ）及び（ｂ）参照。
「【請求項５】　ハウジングはその内壁の端子板接触面に端子板位置決め用の小突起を備えていることを特徴とする請求項１または２または３または４記載のスイッチ。
　【請求項６】　ネオンランプを有して可動接点板を支持する端子板に電気的に接続されるとともに操作部の動きに連動して接点部を有している端子板と接触離反する位置表示用発光部が、表面に透光性部を有する操作部内に設けられていることを特徴とする請求項１または３記載のスイッチ。
　【請求項７】　ネオンランプを有して接点部を有している両端子板に電気的に接続された位置表示用発光部が、表面に透光性部を有する操作部内に設けられていることを特徴とする請求項２または４記載のスイッチ。」
　
イ．異議申立ての理由の概要
　申立人は、証拠として甲第１号証（特開昭５９−３１５８０号公報）、甲第２号証（特開昭５９−１８１４７３号公報）、甲第３号証（特開昭６３−１１０５６４号公報 ）、甲第４号証（特開平１−２９８６６１号公報）、甲第５号証（実願昭５８−１６８６６９号（実開昭６０−７５９３４号）のマイクロフィルム）を提出し、本件発明３ないし７の特許は、特許法第２９条第２項の規定に違反してなされたものであるから取り消されべきものである旨主張している。
　刊行物１（特開昭５９−３１５８０号公報；甲第１号証）には、第１−３図と共に以下の事項が記載されている。
・「（９）はこの配線板（８）上を覆いシーソー運動することによって可動接触子（７）をシーソー運動させる箱形ハンドル、」（第２頁右上欄第７〜９行）
・「前記電源側自己鎖錠端子（２）は１個の導電板（２ａ）内にＨ形の２点形鎖錠子（２ｂ）と１個の解錠子（２ｃ）とを収容してなる。」（第２頁左下欄第６〜８行）
・「前記負荷側自己鎖錠端子（３）は２個のコ字形導電板（３ａ），（３ａ）とこれら導電板（３ａ），（３ａ）のそれぞれに収容された２個の鎖錠子（３ｂ），（３ｂ）と、この鎖錠子（３ｂ）を解錠する解錠子（３ｃ）とからなる。」（第２頁右下欄第７〜１０行）
・「導電板（３ａ），（３ａ）と鎖錠子（３ｂ），（３ｂ）とは本体（１）の仕切り突条（１ｄ）の両側に個づつ設けられている。そうして、鎖錠子（３ｂ）と解錠子（３ｃ）とは電源側のもの（２ｂ），（２ｃ）に対応する各部には対応する符号を付して説明を略す。」（第２頁右下欄第１３〜１８行）
・「前記可動子（７）は支持部（７ａ）にハンドル（９）に係合する係合子（７ｂ），（７ｂ）を突設して弾性体（６）上に跨座し、ハンドル（９）のシーソー運動に連動してシーソー運動して接点（７ｃ）を固定接点（３ａ4）に接離する。」（第３頁左上欄第４〜８行）
・第２図は端子装置の腰部分解斜視図であり、第２図の解錠子（２ｃ）の横幅のサイズと導電板（２ａ）の幅寸法から見て、解錠子（２ｃ）はその側面で導電板（２ａ）と接する寸法であり、また、図示された解錠子（３）は第３図に拡大図が記載され、解錠子の押上げ部（２ｃ3）の中央に立ち上がる摺動部（２ｃ4）が突設されている。
が記載されており、纏めると、刊行物１には
「１個の導電板（２ａ）内にＨ形の２点形鎖錠子（２ｂ）と１個の解錠子（２ｃ）とを収容してなる電源側自己鎖錠端子（２）と、
　配線板（８）上を覆いシーソー運動することによって可動接触子（７）をシーソー運動させる箱形ハンドル（９）と
を備える端子装置であって、
　解錠子（２ｃ）は解錠子の押上げ部（２ｃ3）を備えると共に、
　その側面が導電板（２ａ）に接し、
　押し上げ部の中央から立ち上がる摺動部（２ｃ4）が突設されている
端子装置。」
の発明（以下、「引用発明」という。）が記載されているものと認める。
　また、刊行物２（特開昭５９−１８１４７３号公報；甲第２号証）は、端子装置に関するものであり、第１図〜第３図と共に、両鎖錠ばね（２，２）の間に位置する立ち上がり壁（３）を備えていることが、「（１）は自己鎖錠端子で、鎖錠片（２）を、一端を折り曲げることによって形成している。・・・（中略）そして、案内壁（３）は本体（１２）の凹部（１３）の壁面に、一対の鎖錠端子（１）の中間に位置して、本体（１２）と一体に突出形成されている。」（第１頁右下欄第１５行〜第２頁左上欄第１２行）に記載されている。
　刊行物３（特開昭６３−１１０５６４号公報；甲第３号証）は、コンセントに関するものであり、
・「ボディ１１の凹所１１ｂ，１１ｃ内には、各収納部３０内に二つの錠ばね２１が挿入されるようにして端子金具１７，１８が配置され、二つの錠ばね２１のＵ字形下部２１ａの先端前方に両側が位置するようにして解除釦１９が配置されている。そして、栓刃挿入口２８の奥に端子金具１７あるいは１８の刃受ばね部３１が配置されている。」（第２頁右下欄第１０〜１７行）が記載されている。
　刊行物４（特開平１−２９８６６１号公報；甲第４号証）は、同じくコンセントに関するものであり、
・「Ｌ型の接触片２２を外側に折曲形成してあり、第５図に示すように、この接触片２２の間で且つ端子板４の下方に鎖錠ばね９を配置し、また、解除釦１０を端子板４の下方に配置している。」（第２頁右下欄第１６〜１９行）が記載されている。
　刊行物５（実願昭５８−１６８６６９号（実開昭６０−７５９３４号）のマイクロフィルム；甲第５号証）は、スイッチに関するものであり、
・「このスイッチは器体（１）の底部に配置された導電金具（２）の支持突起（３）にて可動接触体（４）を揺動自在に支持させ、操作ハンドル（５）の中央リブ（５ａ）部分に設けた穴（６）に上半分を挿着したコイルスプリング（７）の下半分を可動接触体（４）に嵌着し、操作ハンドル（５）の反転動作に応じてコイルスプリング（７）を屈曲反転させ可動接触体（４）を支持突起（３）を中心として左、右に回動させるようになっており、・・・（中略）・・・ところでこの種のスイッチはスイッチのオフ時にスイッチの位置を表示するためのネオン管のような表示素子（１６）を設けて、透光材からなる操作ハンドル（５）のランプカバーを介して照光させるようになっているわけであるが、従来のスイッチに内蔵する動作表示回路ブロックは第２図（ａ），（ｂ）に示すようにプリント基板（１６）に表示素子（１５）と限流用抵抗（１７）とを半田付けによって直列に取付配線して予めブロック化し、このブロック化した部材を、プリント基板（１６）に設けてある孔（１８）に操作ハンドル（５）の中央リブ（５ａ）を挿着することによって操作ハンドル（５）に取付けてある。そして抵抗体（１７）の一方のリード線（２０）の一端を前記コイルスプリング（７）の上端に電気的に接続し、表示素子（１５）の一端に接続された接点部（１９）をプリント基板（１６）の端部下面に設け、操作ハンドル（５）をオフ側に投入すると、接点部（１９）が固定端子板（９）の上面に接触し、速結端子（１４）、導電金具（２）、可動接触体（４）、コイルスプリング（７）、抵抗体（１７）、表示素子（１５）、固定端子板（９）、速結端子（１３）の通電回路が形成され表示素子（１５）が発光点灯するようになっている。」（明細書第２頁第１５行〜第４頁第１３行）が記載されている。
　
ウ．対比・判断
　本件発明３と前記引用発明とを対比すると、その機能・構造から見て引用発明の「導電板」は、本件発明３の「端子板」に相当する。以下、順に、「鎖錠子」は「鎖錠ばね」に、「電源側自己鎖錠端子（２）」は「速結端子」に、「解錠子（２ｃ）」は「鎖錠ばねを押圧して上記電線挟持状態を解除する解除釦」に、「配線板（８）上を覆いシーソー運動することによって可動接触子（７）をシーソー運動させる箱形ハンドル（９）」は「シーソー動自在に支持された操作部」に、「可動接触子（７）」は「端子板上に支持されるとともに上記操作部の動きに連動して他の端子板における接点部との接触離反を行う可動接点板」に、「解錠子の押上げ部（２ｃ3）」は「解除駆動部」に、「その側面が導電板（２ａ）に接し、」は「側面に上記端子板が接する」に、「端子装置」は「スイッチ」に相当する。
　また、引用発明の「電源側側自己鎖錠端子（２）」の特徴である「２点形鎖錠子（２ｂ）」は、第２図から明らかに本件発明３の「速結端子を複数備える」を満足すると言え、
　更に引用発明の「押し上げ部の中央から立ち上がる摺動部（２ｃ4）が突設されている」状態及び「１個の導電板（２ａ）内にＨ形の２点形鎖錠子（２ｂ）と１個の解錠子（２ｃ）とを収容してなる」状態は、刊行物１の第１，２図の配置図から見て、摺動部は２つの鎖錠子の間でかつその突設方向は電線の挿入方向と一致すると言えるから、本件発明３の「両鎖錠ばねの間に配置された上記解除釦は、両鎖錠ばねの間で電線挿入方向に延長されて両鎖錠ばねの間に位置」するものと言える。
　よって、両者は、
（一致点）「端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の端子板における接点部との接触離反を行う可動接点板とを備え、上記解除釦は、端子板を共有する一対の鎖錠ばねの解除駆動部を備えるとともに、両鎖錠ばねの間に配置された上記解除釦は、両鎖錠ばねの間で電線挿入方向に延長されて両鎖錠ばねの間に位置し且つ側面に上記端子板が接する立ち上がり片を有するスイッチ。」
で一致し、以下の点で相違する。
　
（相違点）「解除釦」に関し、本件発明３では「両鎖錠ばねと端子板との間の電線が夫々挿入配置される部分の間に上記立ち上がり片を含む上記解除釦が電線挿入方向のほぼ全長にわたって位置している」ものとしているのに対して、引用発明ではかかる点が不明である点。
　
　そこで、上記相違点について検討する。
　刊行物１の第４図にて、挿入される電線（１１）と解錠子（２ｃ）との配置関係から見て、電線の被覆がない部分までもは解錠子の突出端が及んでいないことは明らかであり、またこの解錠子の突出部が有する機能に関する記載として、「このとき、解錠子（２ｂ）の摺動部（２ｃ4）の凹部（２ｃ5）が摺動突条（１ｃ）の段部（１ｆ）に係合し、このときのかすかな衝撃が振動となって解錠子（２ｂ）から工具（１２）を経て手に伝わる。そして、この振動によって解錠子（２ｃ）が鎖錠子（２ｂ）を開いて電線（１１）が開放されたことを感知できる。」（第３頁右上欄第１６行〜左下欄第１行）と説明されており、かかる記載から見て引用発明の立ち上がり片は、あくまで電線の開放を告知する機能を有するに留まり、本件発明３の構成である「電線挿入方向のほぼ全長にわたって位置している」ことから奏される、「隣接する鎖錠ばねや端子板側に電線の先端が向かうことを規制する」効果までもは内在することは無いと言える。
　そして、他の刊行物の記載を見ても、解除釦相当物が電線の挿入方向のほぼ全長にわたって位置していることを示す記載は見当たらない。
　よって、本件発明３は、刊行物１ないし５に記載の発明に基づいて当業者が容易に発明をすることができたとすることはできない。
　
　また、本件発明４は、本件発明３の構成の「端子板」が、共有されておらず個別に設けられる点でのみ異なり、かかる構造自体は刊行物１，２で周知と認められるところではあるが、上記相違点にかかる構造上の特徴を同様に有しているものであるため、上記判断と同様に当業者が容易に発明をすることはできないものである。
　さらに本件発明５ないし７については、本件発明３または本件発明４の構造を共通に有する発明であることから、同様の理由により当業者が容易に発明をすることはできないものである。
　したがって、本件発明３ないし７に係る発明は、甲第１ないし５号証に記載の発明から容易に発明をすることができたものとすることはできない。
　
エ．むすび
　以上のとおりであるから、特許異議の申立ての理由及び証拠によっては、本件請求項３ないし７に係る発明の特許を取り消すことはできない。
　また、他に本件請求項３ないし７に係る発明の特許を取り消すべき理由を発見しない。
　
　よって、結論のとおり決定する。
【異議決定日】
平成１６年８月３０日（２００４．８．３０）
【訂正の要旨】
審決（決定）の【理由】欄参照。
（５４）【発明の名称】
スイッチ
（５７）【特許請求の範囲】
　【請求項１】　端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の端子板における接点部との接触離反を行う可動接点板とを備え、これら部材を収めたハウジングには上記速結端子に臨む電線挿入口が形成されており、この電線挿入口は短軸方向の開口径が挿通される電線の最大径に対応する楕円状の開口となっていることを特徴とするスイッチ。
　【請求項２】　端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の２つの端子板における各接点部に交互に接触する可動接点板とを備え、これら部材を収めたハウジングには上記速結端子に臨む電線挿入口が形成されており、この電線挿入口は短軸方向の開口径が挿通される電線の最大径に対応する楕円状の開口となっていることを特徴とするスイッチ。
　【請求項３】　端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の端子板における接点部との接触離反を行う可動接点板とを備え、上記解除釦は、端子板を共有する一対の鎖錠ばねの解除駆動部を備えるとともに
、両鎖錠ばねの間に配置された上記解除釦は、両鎖錠ばねの間で電線挿入方向に延長されて上記両鎖錠ばねの間に位置し且つ側面に上記端子板が接する立ち上がり片を有して、両鎖錠ばねと端子板との間の電線が夫々挿入配置される部分の間に上記立ち上がり片を含む上記解除釦が電線挿入方向のほぼ全長にわたって位置している
　【請求項４】　端子板とこの端子板との間で電線を挟持固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の２つの端子板における各接点部に交互に接触する可動接点板とを備え、上記解除釦は、夫々接点部を有している一対の端子板間に配されて両端子板に対応する一対の鎖錠ばねの解除駆動部を備えるとともに、両鎖錠ばねの間及び両端子板の間に
配置された上記解除釦は、両鎖錠ばね及び一対の端子板の間で電線挿入方向に延長されて上記両鎖錠ばね及び上記一対の端子板の間に位置する立ち上がり片を有して、両鎖錠ばねと端子板との間の電線が夫々挿入配置される部分の間に上記立ち上がり片を含む上記解除釦が電線挿入方向のほぼ全長にわたって位置している
　【請求項５】　ハウジングはその内壁の端子板接触面に端子板位置決め用の小突起を備えていることを特徴とする請求項１または２または３または４記載のスイッチ。
　【請求項６】　ネオンランプを有して可動接点板を支持する端子板に電気的に接続されるとともに操作部の動きに連動して接点部を有している端子板と接触離反する位置表示用発光部が、表面に透光性部を有する操作部内に設けられていることを特徴とする請求項１または３記載のスイッチ。
　【請求項７】　ネオンランプを有して接点部を有している両端子板に電気的に接続された位置表示用発光部が、表面に透光性部を有する操作部内に設けられていることを特徴とする請求項２または４記載のスイッチ。
【発明の詳細な説明】
　【０００１】
　【産業上の利用分野】
　本発明は速結端子を備えているスイッチに関するものである。
　【０００２】
　【従来の技術】
　端子板と鎖錠ばねとからなる速結端子を備えたスイッチでは、速結端子に接続する電線先端の被覆を剥いだ部分の長さを規定し、電線の被覆を剥いだ部分をハウジングに設けた電線挿入口に差し込めば、速結端子に電気的且つ機械的に接続されるようになっている。そして、国内においては、接続される電線の径がφ１．６ｍｍ〜２．０ｍｍに規定されているために、上記電線挿入口等の各部の形状や寸法がこの線径に合わせて設けられている。
　【０００３】
　【発明が解決しようとする課題】
　ところで、諸外国においては、φ１．１３ｍｍ〜１．７８ｍｍの電線が使用されている国があり、このような国において上記速結端子を用いる場合、規定されている中で一番細い電線では被覆を含めた外径が太い電線の径と殆ど変わらないために、この細い電線の時には被覆ごと電線挿入口に挿入されてしまう虞れがあり、この時、規定寸法以上の電線が差し込まれることになるが、内部において、電線が細いことからその先端が隣接する速結端子にまで至りやすく、隣接速結端子が異極である場合には短絡を招くほか、同極であっても、その電線を抜くことがスムーズにできなくなってしまう。
　【０００４】
　本発明はこのような点に鑑み為されたものであり、その目的とするところは電線の差し込み過多による問題を招くことがないスイッチを提供するにある。
　【０００５】
　【課題を解決するための手段】
　しかして本発明は、端子板とこの端子板との間で電線を挟侍固定する鎖錠ばねとからなる速結端子を複数備えるとともに、鎖錠ばねを押圧して上記電線挟持状態を解除する解除釦と、シーソー動自在に支持された操作部と、端子板上に支持されるとともに上記操作部の動きに連動して他の端子板における接点部との接触離反を行う可動接点板または端子板上に支持されるとともに上記操作部の動きに連動して他の２つの端子板における各接点部に交互に接触する可動接点板とを備え、これら部材を収めたハウジングには上記速結端子に臨む電線挿入口が形成されており、この電線挿入口は短軸方向の開口径が挿通される電線の最大径に対応する楕円状の開口となっていることに第１の特徴を有し、上記解除釦は、端子板を共有する一対の鎖錠ばねの解除駆動部を備えるとともに
、両鎖錠ばねの間に配置された上記解除釦は、両鎖錠ばねの間で電線挿入方向に延長されて上記両鎖錠ばねの間に位置し且つ側面に上記端子板が接する立ち上がり片を有して、両鎖錠ばねと端子板との間の電線が夫々挿入配置される部分の間に上記立ち上がり片を含む上記解除釦が電線挿入方向のほぼ全長にわたって位置していること、もしくは上記解除釦は、夫々接点部を有している一対の端子板間に配されて両端子板に対応する一対の鎖錠ばねの解除駆動部を備えるとともに、両鎖錠ばねの間及び両端子板の間に配置された上記解除釦は、両鎖錠ばね及び一対の端子板の間で電線挿入方向に延長されて上記両鎖錠ばね及び上記一対の端子板の間に位置する立ち上がり片を有して、両鎖錠ばねと端子板との間の電線が夫々挿入配置される部分の間に上記立ち上がり片を含む上記解除釦が電線挿入方向のほぼ全長にわたって位置している
　【０００６】
　【作用】
　本発明の第１の特徴とするところによれば、電線挿入口が丸孔では無いために、細い線を差し込んだ時、被覆を剥いていない部分が電線挿入口の短軸方向の縁に引っ掛かるために、電線の挿入代が制限されるものであり、第２の特徴とするところによれば、電線の挿入代が多くとも、解除釦における立ち上がり片が隣接する鎖錠ばねや端子板側に電線の先端が向かうことを規制する。
　【０００７】
　この時、ハウジング内壁の端子板接触面に端子板位置決め用の小突起を設けておけば、端子板の位置ずれやがたつきを抑えることができ、ネオンランプを有して可動接点板を支持する端子板に電気的に接続されるとともに操作部の動きに連動して接点部を有している端子板と接触離反する位置表示用発光部を、表面に透光性部を有する操作部内に設けておけば、あるいはネオンランプを有して接点部を有している両端子板に電気的に接続された位置表示用発光部を、表面に透光性部を有する操作部内に設けておけば、負荷への非通電時にネオンランプを発光させて、スイッチの位置を表示させることができる。
　【０００８】
　【実施例】
　以下本発明を図示の実施例に基づいて詳述すると、ここでは４種のスイッチを示している。図２及び図３は、いわゆる片切りのスイッチであって、そのハウジング１は共に合成樹脂成形品であるボディ１１とカバー１２とによって構成され、ボディ１１内には、２個の端子板３，３、端子板３との間で速結端子を構成する鎖錠ばね４、速結端子からの電線の取り外し時に用いられる解除釦５、可動接点板６等が納められる。またカバー１２によって両側面に設けられた軸部２０が受けられることでハウジング１に対してシーソー動自在とされる操作部２がカバー１２内に納められるとともにカバー１２に形成された開口から操作部２の表面側が突出する。図中１０はハウジング１のボディ１１とカバー１２とを結合するための組立枠であり、コ字形に形成されるとともに係合用突起１５を備えたこの組立枠１０は、カバー１２に被せられるとともに両端がかしめられてボディ１１の外壁に係止されることで、ボディ１１とカバー１２との結合を行う。なお、ここに示したハウジング１は、配線器具における規格化された寸法における１モジュール分のサイズに形成されている。
　【０００９】
　上記２つの端子板３，３は、各々２個の鎖錠ばね４，４と１個の解除釦５と共に、上記ボディ１１の長手方向両端部に設けられた収納部に夫々収納される。そして、一方の端子板３から延長されてボディ１１の中央部に配される受け片３０上には、Ｕ字形をなす可動接点板３６が置かれ、ボディ１１に被せられて固定されるカバー１２によって枢支された上記操作部２と可動接点板３６との間に圧縮コイルばね３７が配設される。シーソー動自在となっている操作部２を操作すれば、圧縮コイルばね３７の屈曲状態が変化することに伴い、可動接点板３６が揺動し、他方の端子板３に設けられた固定接点３１と可動接点板３６とが接触離反を行う。
　【００１０】
　図４及び図５に示すスイッチは、上記の片切り型のスイッチに、負荷に通電していない時に点灯する位置表示用発光部７を付加したもので、ネオンランプを有しているこの位置表示用発光部７は、操作部２の内部に組み込まれて、圧縮コイルばね３７を通じて可動接点板３６を支持する一方の端子板３に電気的に接続され、操作部２の操作によって可動接点板３６を他方の端子板３の固定接点３１から離反させた時、他方の端子板３の上面と電気的に接触する。なお、操作部２の表面には、透光性部２５が形成されている。
　【００１１】
　図６及び図７に示すスイッチは、３路型のスイッチであって、受け片３０を有する端子板３は上記実施例のものと同じく、２個の鎖錠ばね４と１個の解除釦５と共にボディ１１の一端側に配されているが、ボディ１１の他端側には、２個の端子板３ａ，３ｂが各々１個の鎖錠ばね４と、両端子板３ａ，３ｂに対して１個の解除釦５と共に配設されている。ボディ１１の短手方向に並ぶ両端子板３ａ，３ｂは、可動接点板３６を間にして対向する固定接点３１，３１を夫々有するもので、操作部２に連動して揺動する可動接点板３６は、操作部２の操作に伴い、一方の端子板３ａの固定接点３１に接触する状態と、他方の端子板３ｂの固定接点３１に接触する状態とを切り替える。
　【００１２】
　なお、一対の端子板３ａ，３ｂは、端子板３よりも小さく、このために寸法精度を出しにくくなっている。またボディ１１の各端子板３ａ，３ｂの収納部も、端子板３の収納部よりも小さいために、やはり寸法精度を出しにくく、これ故に、端子板３ａ，３ｂについてはボディ１に納めた時にがたつきが出たり、収納することが困難となったりしやすい。このために、ボディ１１における端子板３ａ，３ｂの収納部については、わずかに大きめに形成するとともに、その内壁に図１６に示すように、断面三角形状で且つ端子板３ａ，３ｂの差し込み側となる上端面を傾斜面とした小さな縦リブ状の小突起１４を設けて、端子板３ａ，３ｂにおける位置決め片３３が図１４（ａ）に示すように小突起１４に当たるようにしてある。端子板３ａ，３ｂとボディ１１の収納部の公差上の関係から相対スペースが大きくなった場合には、小突起１４によって端子板３ａ，３ｂを押さえることができ、逆に相対スペースが小さくなった場合には、端子板３ａ，３ｂの収納部への挿入によって小突起１４が端子板３ａ，３ｂで削られてしまうようにして、がたつきの防止及び組み付け困難となることの防止がなされている。
　【００１３】
　図８及び図９に示すスイッチは、上記の３路型のスイッチに位置表示用発光部７を付加したもので、ネオンランプを有しているこの位置表示用発光部７は、操作部２の内部に組み込まれ、両端子板３ａ，３ｂに接触ばね３８，３８を介して導通する。３路型のスイッチはもう１つの３路型のスイッチとの組み合わせで負荷への通電を２カ所で制御するために用いられるが、このものにおいても、負荷に通電していない時に位置表示用発光部７が点灯する。操作部２の表面に透光性部２５が形成されているのも前記のものと同じである。
　【００１４】
　そして、いずれのスイッチにおいても、ボディ１の底面には、各速結端子に臨む総計４つの電線挿入口１８と、解除釦５の下面部を覗かせる２つの解除用孔１９とが設けられている。電線挿入口１８から被覆を剥いだ電線の先端を差し込めば、鎖錠ばね４と端子板３，３ａ，３ｂとからなる速結端子に電線が電気的に且つ機械的に固定され、解除用孔１９からドライバーのような工具の先端を差し込んで解除釦５を動かせば、解除釦５は鎖錠ばね４を押圧して、鎖錠ばね４と端子板３，３ａ，３ｂとによる電線の挟持状態を解除するために、電線を引っ張ることで、上記接続を解除することができる。
　【００１５】
　このようなスイッチは、図１０に示すように、取付プレート９０に前記組立枠１０における係止突起１５によって係止取着され、取付プレート９０をボックス９１のような固定部に固定するとともに、取付プレート９０表面を化粧プレート９２で覆うことで使用に供される。各スイッチにおける鎖錠ばね４は、端子板３の側壁に電線を押し付けることで電線と端子板３との電気的な接続を行うとともに、斜め方向を向いた端縁によって電線の抜け止めを行うものであり、端子板３については上述のように１個の端子板３に対して２個の鎖錠ばね４が配設されている。一方は通常接続用、他方は送り接続用である。また、端子板３ａ，３ｂについては各１個の鎖錠ばね４が配設されている。更に、鎖錠ばね４の上記一端縁を押し戻すことで電線の引き抜きが可能な状態とする解除釦５は、１つの端子板３について１個、端子板３ａ，３ｂについても１個配設され、上述の結線解除操作を行えば、解除釦５の両翼部が２個の鎖錠ばね４，４の端縁を同時に押し戻す。
　【００１６】
　ここにおいて、端子板３と鎖錠ばね４とからなる速結端子に対する解除釦５は、図１１及び図１２に示すように、一対の鎖錠ばね４，４の両端部の間に位置
して側面が端子板３に接する
　【００１７】
　端子板３ａ，３ｂに対応する解除釦５については、両端子板３ａ，３ｂが異極となるために、図１３〜図１５に示すように、立ち上がり片５０が隣接する一対の鎖錠ばね４，４の間に位置するだけでなく、端子板３ａ，３ｂの間にも位置することになるように、立ち上がり片５０を上面の全面から立ち上げたものとし、電線挿入口１８から差し込む被覆を剥いだ電線８の差し込み量が多かった場合の電線先端の他の部分への回り込み防止を更に確実なものとしている。
　【００１８】
　また、このような電線の差し込み過ぎは、被覆を剥ぐ長さが規定値内であれば、通常、電線挿入口１８の開口径によって、被覆がある部分の挿入が阻止されるために防がれるようになっているのであるが、前述のように、φ１．１３ｍｍ〜１．７８ｍｍの電線の使用が想定される場合、φ１．７８ｍｍに合わせた開口径とすると、被覆を剥いでいないφ１．１３ｍｍの電線が通ってしまうことになるために、ここでは電線挿入口１８を図１に示すように、両側からテーパ壁１８０，１８０を迫り出すことによってほぼ楕円形となるようにすることで、φ１．７８ｍｍの被覆を剥いだ電線８の差し込みをスムーズに行えるものとしつつ、被覆を剥いでいないφ１．１３ｍｍの電線８はテーパ壁１８０によって狭くなった短軸方向の縁で差し込みが止められてしまうようにしている。
　【００１９】
　つまり、電線８の被覆を剥ぐ量が規定値内であれば、電線８の径が細くとも電線８の差し込み過ぎが生じないわけであり、そして、電線８の被覆を剥ぐ量が多すぎたとしても、上述のように、スイッチ内部において解除釦５の立ち上がり片５０が他の鎖錠ばね４側に電線８の先端が回り込んでしまうことを防ぐために、短絡が生じたり接続解除の時に電線８が引っ掛かったりしてしまうことがないものである。
　【００２０】
　【発明の効果】
　以上のように本発明においては、速結端子に臨む電線挿入口を短軸方向の開口径が挿通される電線の最大径に対応する楕円状の開口を有するものとして、電線挿入口を丸孔では無いものとし、細い線を差し込んだ時、その線の被覆を剥いていない部分が電線挿入口の短軸方向の縁に引っ掛かり、挿入代が制限されるようにしているために、電線の差し込み過ぎが生じないものであり、また
解除釦が端子板を共有する一対の鎖錠ばねの解除駆動部を備え、両鎖錠ばねの間に配置された上記解除釦は、両鎖錠ばねの間で電線挿入方向に延長されて上記両鎖錠ばねの間に位置し且つ側面に上記端子板が接する立ち上がり片を有して、両鎖錠ばねと端子板との間の電線が夫々挿入配置される部分の間に上記立ち上がり片を含む上記解除釦が電線挿入方向のほぼ全長にわたって位置していること、もしくは上記解除釦は、夫々接点部を有している一対の端子板間に配されて両端子板に対応する一対の鎖錠ばねの解除駆動部を備えるとともに、両鎖錠ばねの間及び両端子板の間に配置された上記解除釦は、両鎖錠ばね及び一対の端子板の間で電線挿入方向に延長されて上記両鎖錠ばね及び上記一対の端子板の間に位置する立ち上がり片を有して、両鎖錠ばねと端子板との間の電線が夫々挿入配置される部分の間に上記立ち上がり片を含む上記解除釦が電線挿入方向のほぼ全長にわたって位置している
　【００２１】
　そして、ハウジング内壁の端子板接触面に端子板位置決め用の小突起を設けたものでは、端子板の位置ずれやがたつきを防ぐことができると同時に、端子板の装着が困難となってしまう事態が生じることを防ぐことができる。また、ネオンランプを有して可動接点板を支持する端子板に電気的に接続されるとともに操作部の動きに連動して接点部を有している端子板と接触離反する位置表示用発光部を、表面に透光性部を有する操作部内に設けておけば、あるいはネオンランプを有して接点部を有している両端子板に電気的に接続された位置表示用発光部を、表面に透光性部を有する操作部内に設けておけば、負荷への非通電時にネオンランプを発光させて、スイッチの位置を表示させることができるために、使い勝手が良いものとなる。
【図面の簡単な説明】
　【図１】
　一実施例を示すもので、（ａ）は部分底面図、（ｂ）はＸ−Ｘ線断面図、（ｃ）は破断斜視図である。
　【図２】
　片切り型の場合の分解斜視図である。
　【図３】
　（ａ）は同上の部品を組み込んだボディの平面図、（ｂ）は縦断面図である。
　【図４】
　片切り型で且つ発光位置表示部を備えたものの分解斜視図である。
　【図５】
　（ａ）は同上の部品を組み込んだボディの平面図、（ｂ）は縦断面図である。
　【図６】
　３路型の場合の分解斜視図である。
　【図７】
　（ａ）は同上の部品を組み込んだボディの平面図、（ｂ）は縦断面図である。
　【図８】
　３路型で且つ発光位置表示部を備えたものの分解斜視図である。
　【図９】
　（ａ）は同上の部品を組み込んだボディの平面図、（ｂ）は縦断面図である。
　【図１０】
　使用状態を示す分解斜視図である。
　【図１１】
　解除釦を示しており、（ａ）は平面図、（ｂ）は正面図、（ｃ）は底面図、（ｄ）は右側面図である。
　【図１２】
　同上の解除釦の組み込み部を示しており、（ａ）は部分平面図、（ｂ）は部分縦断面図である。
　【図１３】
　他の解除釦を示しており、（ａ）は平面図、（ｂ）は正面図、（ｃ）は底面図、（ｄ）は右側面図である。
　【図１４】
　同上の解除釦の組み込み部を示しており、（ａ）は部分平面図、（ｂ）は部分縦断面図である。
　【図１５】
　同上の解除釦の組み込み部の背面図である。
　【図１６】
　ボディに設けた小突起を示すもので、（ａ）は斜視図、（ｂ）は平面図、（ｃ）は側面図である。
　【符号の説明】
　　１　ハウジング
　１８　電線挿入口